(57)【要約】【課題】薄型化及び軽量化を実現する液晶モジュールを提供する。【解決手段】矩形状をなし、前面に画像を表示する液晶パネルと、該液晶パネルの背面側に設けられた背面側枠体１２と、前記液晶パネルの前側周縁部及び周側部を覆い、前記背面側枠体１２と接続することにより前記液晶パネルを挟む前面側枠体とを備える液晶モジュールにおいて、前記前面側枠体及び背面側枠体１２の一方には、係合することにより前記液晶パネルに垂直な方向の位置を固定する係合部、及び嵌合することにより前記液晶パネルに平行な方向の位置を固定する嵌合部が設けられ、前記前面側枠体及び背面側枠体１２の他方には、前記係合部が係合する被係合部及び前記嵌合部が嵌合する被嵌合部が設けられている。【選択図】図６
2014170224.tif 000002
【特許請求の範囲】
【請求項１】
矩形状をなし、前面に画像を表示する液晶パネルと、
該液晶パネルの背面側に設けられた背面側枠体と、
前記液晶パネルの前側周縁部及び周側部を覆い、前記背面側枠体と接続することにより前記液晶パネルを挟む前面側枠体と
を備える液晶モジュールにおいて、
前記前面側枠体及び背面側枠体の一方には、係合することにより前記液晶パネルに垂直な方向の位置を固定する係合部、及び嵌合することにより前記液晶パネルに平行な方向の位置を固定する嵌合部が設けられ、
前記前面側枠体及び背面側枠体の他方には、前記係合部が係合する被係合部及び前記嵌合部が嵌合する被嵌合部が設けられている
ことを特徴とする液晶モジュール。
【請求項２】
前記前面側枠体及び背面側枠体は矩形状をなしており、
前記係合部及び嵌合部は、少なくとも前記前面側枠体又は背面側枠体を構成する辺の両端夫々の近傍で相互に近接する位置に設けられ、
前記被係合部及び被嵌合部は、少なくとも前記前面側枠体又は背面側枠体を構成する辺の両端夫々の近傍で相互に近接し、前記係合部及び嵌合部に対応する位置に設けられている
ことを特徴とする請求項１に記載の液晶モジュール。
【請求項３】
前記被係合部は、前記前面側枠体の前面側及び側面側に渡って設けられた係合孔であり、
前記係合部は、前記背面側枠体に設けられ、前記液晶パネルに垂直な方向に延びており、前記係合孔における側面側の周縁に係合する係合爪である
ことを特徴とする請求項１又は２に記載の液晶モジュール。
【請求項４】
前記被嵌合部は、前記前面側枠体の前面側及び側面側に渡って設けられた嵌合孔であり、
前記嵌合部は、前記背面側枠体に設けられ、前記液晶パネルに垂直な方向に突出したリブである
ことを特徴とする請求項１から３までのいずれか一つに記載の液晶モジュール。
【請求項５】
前記嵌合孔の周縁には、嵌合時に前記リブと接触する突出部が設けられている
ことを特徴とする請求項４に記載の液晶モジュール。
【請求項６】
請求項１から５のいずれか一つに記載の液晶モジュール
を備えることを特徴とする表示装置。
【発明の詳細な説明】
【技術分野】
【０００１】
本発明は、液晶パネルを枠体で固定する液晶モジュール及び表示装置に関する。
【背景技術】
【０００２】
液晶パネルを備えた表示装置は、薄型化及び軽量化が要請されており、その要請に伴い、液晶パネルの周囲に設けられ、前面及び背面側に取り付けられた枠体ともに薄型化及び軽量化が望まれている。ここで、薄型化、軽量化のため背面側の枠体が薄くなり、背面側枠体自体での強度が低下するという問題があった。
【０００３】
特許文献１には、液晶パネルを前面側に設けられた前面側枠体と背面側に設けられた背面側枠体とにより挟んでビスで留め、光源及びバックシャーシ等を備えた液晶モジュール及び表示装置が記載されている。
【先行技術文献】
【特許文献】
【０００４】
【特許文献１】特開２０１０−１３９７２３号公報
【発明の概要】
【発明が解決しようとする課題】
【０００５】
しかしながら、特許文献１に記載の液晶モジュール及び表示装置は、ビスによって前面側枠体と背面側枠体とを液晶パネルで挟んで固定しているので、前面側枠体と背面側枠体とにビスの長さ及び螺子頭の大きさに応じた幅又は厚みが必要になるという問題があった。また、斯かる液晶モジュール及び表示装置では十数センチ間隔でビス固定する場合もあり、５０インチ以上の大型パネルの場合にはビスの数も３０個以上になり、生産工数が増加するという問題があった。
【０００６】
本発明は斯かる事情に鑑みてなされたものであり、斯かる前面側枠体と背面側枠体の薄型化及び軽量化を実現しつつ、液晶パネルの位置を固定する液晶モジュール及び表示装置を提供することを目的とする。また、前面側枠体、背面側枠体間を固定するビスを大幅に削減した液晶モジュール及び表示装置を提供することを目的とする。
【課題を解決するための手段】
【０００７】
本発明に係る液晶モジュールは、矩形状をなし、前面に画像を表示する液晶パネルと、該液晶パネルの背面側に設けられた背面側枠体と、前記液晶パネルの前側周縁部及び周側部を覆い、前記背面側枠体と接続することにより前記液晶パネルを挟む前面側枠体とを備える液晶モジュールにおいて、前記前面側枠体及び背面側枠体の一方には、係合することにより前記液晶パネルに垂直な方向の位置を固定する係合部、及び嵌合することにより前記液晶パネルに平行な方向の位置を固定する嵌合部が設けられ、前記前面側枠体及び背面側枠体の他方には、前記係合部が係合する被係合部及び前記嵌合部が嵌合する被嵌合部が設けられていることを特徴とする。
【０００８】
本発明に係る液晶モジュールは、前記前面側枠体及び背面側枠体は矩形状をなしており、前記係合部及び嵌合部は、少なくとも前記前面側枠体又は背面側枠体を構成する辺の両端夫々の近傍で相互に近接する位置に設けられ、前記被係合部及び被嵌合部は、少なくとも前記前面側枠体又は背面側枠体を構成する辺の両端夫々の近傍で相互に近接し、前記係合部及び嵌合部に対応する位置に設けられていることを特徴とする。
【０００９】
本発明に係る液晶モジュールは、前記被係合部は、前記前面側枠体の前面側及び側面側に渡って設けられた係合孔であり、前記係合部は、前記背面側枠体に設けられ、前記液晶パネルに垂直な方向に延びており、前記係合孔における側面側の周縁に係合する係合爪であることを特徴とする。
【００１０】
本発明に係る液晶モジュールは、前記被嵌合部は、前記前面側枠体の前面側及び側面側に渡って設けられた嵌合孔であり、前記嵌合部は、前記背面側枠体に設けられ、前記液晶パネルに垂直な方向に突出したリブであることを特徴とする。
【００１１】
本発明に係る液晶モジュールは、前記嵌合孔の周縁には、嵌合時に前記リブと接触する突出部が設けられていることを特徴とする。
【００１２】
本発明に係る表示装置は、上述の液晶モジュールを備えることを特徴とする。
【００１３】
本発明に係るテレビジョン受信機は、上述の液晶モジュールと、テレビジョン放送を受信するチューナとを備え、該チューナにて受信したテレビジョン放送に基づいて、前記液晶モジュールに映像を表示するようにしてあることを特徴とする。
【発明の効果】
【００１４】
本発明によれば、前記前面側枠体及び背面側枠体の一方には、係合することにより前記液晶パネルに垂直な方向の位置を固定する係合部、及び嵌合することにより前記液晶パネルに平行な方向の位置を固定する嵌合部が設けられ、他方には、被係合部及び被嵌合部が設けられているので、枠体の薄型化及び軽量化を実現することができる。
【００１５】
また、前面側枠体及び背面側枠体間を固定するビスを大幅に削減したので、生産時の作業性を向上させることができる。
【図面の簡単な説明】
【００１６】
【図１】表示装置の模式的斜視図である。
【図２】液晶モジュールの模式的斜視図である。
【図３】液晶モジュールの部分断面図である。
【図４】前面側枠体の短竿体を示す斜視図である。
【図５】前面側枠体の短竿体を示す部分斜視図である。
【図６】背面側枠体の短竿体を示す斜視図である。
【図７】前面側枠体及び背面側枠体を含む液晶モジュールの部分斜視図である。
【図８】液晶モジュールの部分断面図である。
【図９】液晶モジュールの部分断面図である。
【発明を実施するための形態】
【００１７】
以下、本発明の実施の形態について説明する。図１は表示装置１００の模式的斜視図である。表示装置１００は、液晶モジュール１と、該液晶モジュール１を挾むようにして収容するフロントキャビネット２及びバックキャビネット３と、電源基板４と、チューナを備えるチューナ基板５と、スタンド６とを備える。表示装置１００は、チューナ基板５のチューナより受信したテレビジョン放送に基づいて、前記液晶モジュール１に映像を表示するテレビジョン受信機として機能する。
【００１８】
図２は液晶モジュール１の模式的斜視図である。液晶モジュール１は、横長で矩形板状の液晶パネル１０を備える。液晶パネル１０は、前側周縁部及び周側部を、例えばアルミニウム、ステンレス等の金属製であり、枠体をなす前面側枠体１１により覆われている。前面側枠体１１は、液晶パネル１０の短辺側である縦方向の長さと略同じ短竿体１１ａ、１１ａと、長辺側である横方向の長さと略同じ長竿体１１ｂ、１１ｂとにより構成される。前面側枠体１１は、屈曲部が液晶パネル１０の外周と沿うように嵌合し、液晶パネル１０の前面の周縁と側面とを覆う。また、液晶パネル１０の背面側であり前面側枠体１１の内側に、樹脂製の背面側枠体１２が設けられている。
【００１９】
図３は液晶モジュール１の部分断面図である。図３は図２のIII−IIIに沿った断面を示したものである。液晶モジュール１は、液晶パネル１０、前面側枠体１１、背面側枠体１２の他に、バックライトシャーシ１３、緩衝材１４、ＬＥＤ１５、光学シート１６、拡散板１７、ＬＥＤ基板１８及びレンズ１９を備える。前面側枠体１１は断面が略直角に曲がったＬ字状をなしている。
【００２０】
III−III線上には前面側枠体１１にリブ孔１１１、１１１…、背面側枠体１２にリブ１２１、１２１…が設けられている。また、前面側枠体１１におけるＬ字状の断面の頂点にあたる屈曲部は、長さ方向に沿って略直線状をなしている。リブ孔１１１、１１１…は、屈曲部及びその近傍、即ち前面側枠体１１の前面側及び側面側に渡って設けられている。またリブ孔１１１、１１１…の前方側の周縁には、内側に突出した突出部１１１ａ、１１１ａ…が設けられている。リブ１２１、１２１…はリブ孔１１１、１１１…に嵌合している。
【００２１】
背面側枠体１２は、液晶パネル１０の垂直方向に延びる側部１２０ａ及び内側部１２０ｂと、縦横方向に延びる前部１２０ｃとを備える。
【００２２】
液晶パネル１０の前面及び背面の周縁付近には、緩衝材１４、１４が設けられており、前面側枠体１１と背面側枠体１２は緩衝材１４、１４を介して、液晶パネル１０の端部を挟むよう構成されている。
【００２３】
液晶パネル１０の背面側には、並設されたＬＥＤ１５、１５…の光を液晶パネル１０に向けて集光する光学シート１６、１６…が複数設けられている。光学シート１６、１６…は、矩形状をなし、液晶パネル１０よりやや小さい面積を有する。また、前部１２０ｃの内側と光学シート１６、１６…との間には緩衝材１４が設けられており、前部１２０ｃが液晶パネル１０と略平行になるよう調整されている。
【００２４】
光学シート１６、１６…の背面側にはＬＥＤ１５、１５…の光を均一に拡散する拡散板１７が設けられている。拡散板１７は皿状をなし、該拡散板１７の端部は背面側枠体１２の側部１２０ａと内側部１２０ｂとにより構成される溝に挟まれている。
【００２５】
拡散板１７は、箱状をなすバックライトシャーシ１３に覆われている。バックライトシャーシ１３の内部に取り付けられたＬＥＤ基板１８の前面には、複数のＬＥＤ１５、１５…が実装されており、ＬＥＤ１５、１５…の前方に、ＬＥＤ１５、１５…から発する光を拡散させるレンズ１９、１９…が夫々配置されている。
【００２６】
図４は、前面側枠体１１の短竿体１１ａを示す斜視図であり、図５は、前面側枠体１１の短竿体１１ａを示す部分斜視図である。
【００２７】
前面側枠体１１についてさらに説明する。前面側枠体１１には、リブ孔１１１、１１１…、係合孔１１２、１１２…、貫通孔１１３、１１３…が設けられている。
【００２８】
係合孔１１２、１１２…は、屈曲部及びその近傍に設けられており、リブ孔１１１、１１１…と並設されている。短竿体１１ａ、１１ａの側部には、夫々に貫通孔１１３、１１３…が設けられている。貫通孔１１３、１１３…の周辺は凹みが設けられている。例えば短竿体１１ａには、リブ孔１１１、１１１…が３個、係合孔１１２、１１２…が４個、貫通孔１１３、１１３…が５個設けられている。
【００２９】
リブ孔１１１、１１１…、係合孔１１２、１１２…、貫通孔１１３、１１３…は、短竿体１１ａに沿って、一端側から他端側まで間隔を置いて設けられている。リブ孔１１１、１１１…は、中央側に１つ、一端側に１つ、他端側に1つ設けられている。係合孔１１２、１１２…は、中央側に２つ、一端側に１つ、他端側に1つ設けられている。貫通孔１１３、１１３…は、中央側に１つ、一端側に２つ、他端側に２つ設けられている。
【００３０】
一端側に設けられたリブ孔１１１及び係合孔１１２、並びに他端側に設けられたリブ孔１１１及び係合孔１１２は、相互に近接した位置に設けられている。一端側に設けられたリブ孔１１１及び係合孔１１２の間隔、並びに他端側に設けられたリブ孔１１１及び係合孔１１２の間隔は、その他の位置に設けられたリブ孔１１１及び係合孔１１２の間隔、並びにリブ孔１１１、１１１同士の間隔及び係合孔１１２、１１２同士の間隔よりも狭い。
【００３１】
また、一端側におけるリブ孔１１１及び係合孔１１２は、一端側における２つの貫通孔１１３、１１３の間に設けられている。同様に、他端側におけるリブ孔１１１及び係合孔１１２は、他端側における２つの貫通孔１１３、１１３の間に設けられている。なお、リブ孔１１１及び係合孔１１２は、短竿体１１ａの一端側及び他端側に夫々複数設けられていてもよい。
【００３２】
長竿体１１ｂも長手方向の長さを除き、短竿体１１ａと同様の形状である。短竿体１１ａと長竿体１１ｂとは直交するよう固定されて前面側枠体１１を形成する。
【００３３】
図６は、背面側枠体１２の短竿体１２ａを示す斜視図である。背面側枠体１２は樹脂製であり、液晶パネル１０の水平方向の長さと略同じ２本の図示しない長竿体と、液晶パネル１０の縦方向の長さと略同じ２本の短竿体１２ａとにより枠体をなしている。
【００３４】
該背面側枠体１２には、リブ１２１、１２１…及び係合爪１２２、１２２…が設けられている。リブ１２１は、側部１２０ａと前部１２０ｃとの境界に設けられており、液晶パネル１０と垂直な前方向に突出している。また、リブ１２１、１２１…に隣接して係合爪１２２、１２２…が設けられている。リブ１２１は矩形状をなし、側部１２０ａと前部１２０ｃの境界に設けられている。係合爪１２２、１２２…は、液晶パネル１０と垂直な前方向に延びており、また、係合爪１２２、１２２…の係合部分は背面側枠体１２の外側を向いている。係合爪１２２、１２２…は、係合孔１１２、１１２…の側部１２０ａの周縁に係合する。これにより液晶パネル１０に垂直な方向のずれを抑制することができる。
【００３５】
背面側枠体１２には、側部１２０ａに、該側部１２０ａの中央付近から、側端部まで空いた切り欠き部１２３、１２３…が設けられている。切り欠き部１２３、１２３…は、前面側枠体１１の貫通孔１１３、１１３…を螺子が通じた場合に螺子が通るようになっている。なお、切り欠き部１２３、１２３…の代わりに貫通孔が設けられていてもよい。
【００３６】
リブ１２１、１２１…、係合爪１２２、１２２…及び貫通孔１１３、１１３…の位置は、夫々リブ孔１１１、１１１…、係合孔１１２、１１２…及び切り欠き部１２３、１２３…の位置に対応している。
【００３７】
従って、短竿体１２ａの一端の近傍である一端側に設けられたリブ１２１及び係合爪１２２、並びに他端の近傍である他端側に設けられたリブ１２１及び係合爪１２２は、相互に近接した位置に設けられている。一端側に設けられたリブ１２１及び係合爪１２２の間隔、並びに他端側に設けられたリブ１２１及び係合爪１２２の間隔は、その他の位置に設けられたリブ１２１及び係合爪１２２の間隔、並びにリブ１２１、１２１同士の間隔及び係合爪１２２、１２２同士の間隔よりも狭い。
【００３８】
また、一端側におけるリブ１２１及び係合爪１２２は、一端側における２つの切り欠き部１２３、１２３の間に設けられている。同様に、他端側におけるリブ１２１及び係合爪１２２は、他端側における２つの切り欠き部１２３、１２３の間に設けられている。なお、リブ１２１及び係合爪１２２は、短竿体１２ａの一端側及び他端側に夫々複数設けられていてもよい。
【００３９】
背面側枠体１２の図示しない長竿体も長手方向の長さを除き、短竿体１２ａと同様の形状である。短竿体１２ａと図示しない長竿体とは直交するよう固定されて背面側枠体１２を形成する。
【００４０】
図７は、前面側枠体１１及び背面側枠体１２を含む液晶モジュール１の部分斜視図である。
【００４１】
嵌合部であるリブ１２１、１２１…を被嵌合部であるリブ孔１１１、１１１…に嵌合することにより、前面側枠体１１及び背面側枠体１２の液晶パネル１０と平行な方向へのずれを低減させることができる。また、突出部１１１ａはリブ１２１と接触する。これによりリブ孔１１１、１１１…とリブ１２１、１２１…との接触面積が増え、位置のずれを効果的に抑制する。
【００４２】
また、係合爪１２２を係合孔１１２に係合することにより、前面側枠体１１及び背面側枠体１２の横方向へのずれを低減させることができる。また、背面側枠体１２には、側部１２０ａと略平行に長さ方向に延びており、側部１２０ａより内側に設けられた内側部１２０ｂと、液晶パネル１０に平行であり側部１２０ａ及び内側部１２０ｂと繋がっている前部１２０ｃとを備える。
【００４３】
このように、リブ孔１１１、１１１…にリブ１２１、１２１…を嵌合させ、係合孔１１２、１１２…に係合爪１２２、１２２…を係合させ、さらに貫通孔１１３、１１３…にビス２０を通じることにより、液晶モジュール１に対する前面側枠体１１及び背面側枠体１２の位置を固定する。
【００４４】
短竿体１１ａ、１２ａは、竿体であることから曲がりやすく、曲がった場合の影響は端側の方が中央側よりも小さい。そのため、前面側枠体１１と背面側枠体１２とを固定する際には、両端側を固定することにより安定して固定することができる。
【００４５】
以上より、リブ孔１１１、１１１…及び係合孔１１２、１１２…、並びにリブ１２１、１２１…及び係合爪１２２、１２２…を、前面側枠体１１及び背面側枠体１２の一辺を構成する短竿体１１ａ、１２ａの両端側にも設けることにより、前面側枠体１１及び背面側枠体１２の位置を固定するにあたり、容易かつ適切に固定することができる。
【００４６】
図８は、液晶モジュール１の部分断面図である。図８は係合孔１１２及び係合爪１２２を含む断面の断面図である。なお、係合爪１２２は他の係合部材でもよく、係合孔１１２は該他の係合部材を係合するものであればよい。
【００４７】
図９は、液晶モジュール１の部分断面図である。図９は貫通孔１１３及び切り欠き部１２３を含む断面の断面図である。
【００４８】
なお、嵌合部は、リブ１２１、１２１…に代えて、リブ１２１、１２１…以外の他の嵌合部材を用いてもよく、被嵌合部は、リブ孔１１１、１１１…に代えて該他の嵌合部材に嵌合される部材を用いてもよい。さらに、リブ１２１、１２１…及び係合爪１２２、１２２…を前面側枠体１１に備え、リブ孔１１１、１１１…及び係合孔１１２、１１２…を背面側枠体１２に備えるようにしてもよい。
【００４９】
本発明に係る液晶モジュール１は、矩形状をなし、前面に画像を表示する液晶パネル１０と、該液晶パネル１０の背面側に設けられた背面側枠体１２と、前記液晶パネル１０の前側周縁部及び周側部を覆い、前記背面側枠体１２と接続することにより前記液晶パネル１０を挟む前面側枠体１１とを備える液晶モジュール１において、前記前面側枠体１１及び背面側枠体１２の一方には、係合することにより前記液晶パネル１０に垂直な方向の位置を固定する係合部、及び嵌合することにより前記液晶パネル１０に平行な方向の位置を固定する嵌合部が設けられ、前記前面側枠体１１及び背面側枠体１２の他方には、前記係合部が係合する被係合部及び前記嵌合部が嵌合する被嵌合部が設けられていることを特徴とする。
【００５０】
本実施の形態によれば、前記前面側枠体１１及び背面側枠体１２の一方には、係合することにより前記液晶パネル１０に垂直な方向の位置を固定する係合部、及び嵌合することにより前記液晶パネル１０に平行な方向の位置を固定する嵌合部が設けられ、他方には、被係合部及び被嵌合部が設けられているので、枠体の薄型化及び軽量化を実現することができる。
【００５１】
本実施の形態に係る液晶モジュール１は、前記前面側枠体１１及び背面側枠体１２は矩形状をなしており、前記係合部及び嵌合部は、少なくとも前記前面側枠体１１又は背面側枠体１２を構成する辺の両端夫々の近傍で相互に近接する位置に設けられ、前記被係合部及び被嵌合部は、少なくとも前記前面側枠体１１又は背面側枠体１２を構成する辺の両端夫々の近傍で相互に近接し、前記係合部及び嵌合部に対応する位置に設けられていることを特徴とする。
【００５２】
本実施の形態によれば、前面側枠体１１及び背面側枠体１２の位置を固定するにあたり、容易かつ適切に固定することができる。
【００５３】
本実施の形態に係る液晶モジュール１は、前記被係合部は、前記前面側枠体１１の前面側及び側面側に渡って設けられた係合孔１１２であり、前記係合部は、前記背面側枠体１２に設けられ、前記液晶パネル１０に垂直な方向に延びており、前記係合孔１１２における側面側の周縁に係合する係合爪１２２であることを特徴とする。
【００５４】
本実施の形態によれば、係合孔１１２を係合爪１２２によって係合することにより、前面側枠体１１及び背面側枠体１２の位置を固定することができる。
【００５５】
本実施の形態に係る液晶モジュール１は、前記被嵌合部は、前記前面側枠体１１の前面側及び側面側に渡って設けられた嵌合孔であり、前記嵌合部は、前記背面側枠体１２に設けられ、前記液晶パネル１０に垂直な方向に突出したリブ１２１であることを特徴とする。
【００５６】
本実施の形態によれば、嵌合孔にリブ１２１が嵌合することにより、前面側枠体１１及び背面側枠体１２の位置を固定することができる。
【００５７】
本発明に係る液晶モジュール１は、前記嵌合孔の周縁には、嵌合時に前記リブ１２１と接触する突出部１１１ａが設けられていることを特徴とする。
【００５８】
本実施の形態によれば、突出部１１１ａが設けられていることにより、嵌合孔とリブ１２１との位置を精度よく固定することができる。
【００５９】
本実施の形態に係る表示装置１００は、上述の液晶モジュール１を備えることを特徴とする。
【００６０】
本実施の形態によれば、上述の効果を表示装置１００において実現することができる。
【００６１】
本実施の形態に係るテレビジョン受信機は、上述の液晶モジュール１と、テレビジョン放送を受信するチューナとを備え、該チューナにて受信したテレビジョン放送に基づいて、前記液晶モジュール１に映像を表示するようにしてあることを特徴とする。
【００６２】
本実施の形態によれば、上述の効果をテレビジョン受信機において実現することができる。
【００６３】
今回開示された実施の形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。
【符号の説明】
【００６４】
１００  表示装置
１  液晶モジュール
２  フロントキャビネット
３  バックキャビネット
４  電源基板
５  チューナ基板
６  スタンド
１０  液晶パネル
１１  前面側枠体
１１ａ  短竿体
１１ｂ  長竿体
１１１  リブ孔
１１２  係合孔
１１３  貫通孔
１２  背面側枠体
１２ａ  短竿体
１２０ａ  側部
１２０ｂ  内側部
１２０ｃ  前部
１２１  リブ
１２２  係合爪
１２３  切り欠き部
１３  バックライトシャーシ
１４  緩衝材
１５  ＬＥＤ
１６  光学シート
１７  拡散板
１８  ＬＥＤ基板
１９  レンズ
２０  ビス
【図１】
2014170224.tif 000003
【図２】
2014170224.tif 000004
【図３】
2014170224.tif 000005
【図４】
2014170224.tif 000006
【図５】
2014170224.tif 000007
【図６】
2014170224.tif 000008
【図７】
2014170224.tif 000009
【図８】
2014170224.tif 000010
【図９】
2014170224.tif 000011
【手続補正書】
【提出日】平成26年5月20日(2014.5.20)
【手続補正１】
【補正対象書類名】明細書
【補正対象項目名】０００７
【補正方法】変更
【補正の内容】
【０００７】
本発明に係る液晶モジュールは、矩形状をなし、前面に画像を表示する液晶パネルと、該液晶パネルの背面側に設けられており、４つの竿体で構成された矩形の背面側枠体と、前記液晶パネルの前側周縁部及び周側部を覆い、４つの竿体で構成されており、前記背面側枠体と接続することにより前記液晶パネルを挟む矩形の前面側枠体とを備える液晶モジュールにおいて、前記前面側枠体及び背面側枠体の一方には、係合することにより前記液晶パネルに垂直な方向の位置を固定する係合部、及び嵌合することにより前記液晶パネルに平行な方向の位置を固定する嵌合部が設けられ、前記前面側枠体及び背面側枠体の他方には、前記係合部が係合する被係合部及び前記嵌合部が嵌合する被嵌合部が設けられており、前記嵌合部及び被嵌合部は、前記前面側枠体及び背面側枠体を構成する各竿体に夫々複数設けられていることを特徴とする。
【手続補正２】
【補正対象書類名】特許請求の範囲
【補正対象項目名】請求項１
【補正方法】変更
【補正の内容】
【請求項１】
矩形状をなし、前面に画像を表示する液晶パネルと、
該液晶パネルの背面側に設けられており、４つの竿体で構成された矩形の背面側枠体と、
前記液晶パネルの前側周縁部及び周側部を覆い、４つの竿体で構成されており、前記背面側枠体と接続することにより前記液晶パネルを挟む矩形の前面側枠体と
を備える液晶モジュールにおいて、
前記前面側枠体及び背面側枠体の一方には、係合することにより前記液晶パネルに垂直な方向の位置を固定する係合部、及び嵌合することにより前記液晶パネルに平行な方向の位置を固定する嵌合部が設けられ、
前記前面側枠体及び背面側枠体の他方には、前記係合部が係合する被係合部及び前記嵌合部が嵌合する被嵌合部が設けられており、
前記嵌合部及び被嵌合部は、前記前面側枠体及び背面側枠体を構成する各竿体に夫々複数設けられている
ことを特徴とする液晶モジュール。